(57)【要約】【課題】別個に洗濯バサミを用意しなくても、吊り持ちされた繊維製品が位置ずれしたり吊持杆から脱落することのないハンガーが求められている。【解決手段】ハンガー１は、衣料などの繊維製品を吊り持つ吊持杆６，６を吊下げフック３から横方向に張り出して設けたものにおいて、繊維製品挟持用の挟持部材７を吊持杆６に当該杆心方向に沿って揺動可能に枢支し、挟持部材７と吊持杆６との間に設けた弾性部材１１によって、挟持部材７の吊下げフック３寄り端部を吊持杆６の湾曲部６Ｄから離れる方向に付勢して摘み操作部７Ｇとし、かつ、挟持部材７の吊持杆先端６Ｅ寄り端部を吊持杆６の受座１２へ近接する方向に付勢して繊維製品挟持部７Ｆとした構成にしてある。繊維製品挟持部７Ｆが受座１２に接している状態で挟持部材７の上面７Ｉと吊持杆６の上面６Ｉとが略面一となるように、挟持部材７および吊持杆６が形成されている。【選択図】      図１
2005006721.tif 000002
【特許請求の範囲】
【請求項１】
衣料などの繊維製品を吊り持つ吊持杆を吊下げフックから横方向に張り出して設けたハンガーにおいて、繊維製品挟持用の挟持部材を吊持杆に当該杆心方向に沿って揺動可能に枢支し、挟持部材と吊持杆との間に設けた弾性部材によって、挟持部材の吊下げフック寄り端部を吊持杆から離れる方向に付勢して摘み操作部とし、かつ、挟持部材の吊持杆先端寄り端部を吊持杆へ近接する方向に付勢して繊維製品挟持部としたことを特徴とするハンガー。
【請求項２】
挟持部材の繊維製品挟持部が吊持杆に接している状態で挟持部材の上面と吊持杆の上面とが略面一となるように、挟持部材および吊持杆が形成されている請求項１に記載のハンガー。
【発明の詳細な説明】
【０００１】
【発明の属する技術分野】
本発明は、例えば襟ぐりや履き口の広い衣料、肩紐を有する衣料、またはバスタオルなどといった繊維製品の吊り持ちに適したハンガーに関する。
【０００２】
【従来の技術】
従来一般のハンガーの正面図を図８に示す。図に示したハンガー５１は、吊下げフック３を備えた本体基部２の左右に、衣料やタオルなどの繊維製品を吊り持つ直線状の吊持杆６（図中、実線で示す）がそれぞれ横方向斜め下向きに張り出して形成されており、吊持杆６のそれぞれの先端は横架杆１３で一体に連結されている。
ところで、近年のファッション多様化により襟ぐりの広い衣料が出回っている。そこで、広い襟ぐり１７を持つＴシャツ１６を洗濯してハンガー５１で干すにあたっては、襟ぐり１７から一方の吊持杆６を差し入れて一方の腕部に通し、他方の吊持杆６が襟ぐり１７に入ったのちにハンガー５１全体を戻して、他方の吊持杆６を他方の腕部に通し、Ｔシャツ１６を左右均等に整えて吊り持ちさせるようにしていた。しかしながら、前記のように吊り持ちされたＴシャツ１６は風などにより簡単に位置ずれ（図中、２点鎖線で示す位置）し、ひいては吊持杆６から外れて脱落することがあった。かかる問題は肩紐を有するキャミソールなどに使用する場合にも生じる。
【０００３】
そこで、図中一点鎖線で示すように、吊持杆６に凹部２５と突起部２６を設け、凹部２５に衣料の肩紐などを掛けて吊り持ちさせるようにしたものと類似のハンガーが、下記の特許文献１で提案されている。ところが、このように凹部２５や突起部２６を有するハンガーであっても、強い風が吹けば、せっかく掛けた肩紐が突起部２６から外れて凹部２５から飛び出し、衣料が吊持杆６から脱落することがある。
【０００４】
【特許文献１】
実開平７−２８４８２号公報
【０００５】
【発明が解決しようとする課題】
そのため、上記した直線状の吊持杆を有するハンガーや、凹部と突起部を有するハンガーを用いる場合、いったんハンガーに繊維製品を吊り持ちさせたのち、別個の洗濯ピンチで挟持しておく必要があった。
しかしながら、このような使用態様であると、洗濯バサミを別途用意しなければならない。また、洗濯バサミを収容しておく小籠も必要である。それに伴い、吊り持ちや取り外しの際に洗濯バサミを小籠に出し入れする手間がかかる。あるいは、小籠に手などが触れて洗濯バサミが散乱したり紛失したりすることがある。また、洗濯バサミによる挟持跡がはっきりと残り、衣料の外観を損なうという不具合もある。
【０００６】
本発明は、上記した従来の問題点に鑑みてなされたものであって、別個に洗濯バサミを用意しなくても、吊り持ちされた繊維製品が位置ずれしたり吊持杆から脱落することのないハンガーの提供を目的とする。
【０００７】
【課題を解決するための手段】
上記目的を達成するために、本発明に係るハンガーは、衣料などの繊維製品を吊り持つ吊持杆を吊下げフックから横方向に張り出して設けたハンガーにおいて、繊維製品挟持用の挟持部材を吊持杆に当該杆心方向に沿って揺動可能に枢支し、挟持部材と吊持杆との間に設けた弾性部材によって、挟持部材の吊下げフック寄り端部を吊持杆から離れる方向に付勢して摘み操作部とし、かつ、挟持部材の吊持杆先端寄り端部を吊持杆へ近接する方向に付勢して繊維製品挟持部とした構成にしてある。
【０００８】
また、前記構成において、挟持部材の繊維製品挟持部が吊持杆に接している状態で挟持部材の上面と吊持杆の上面とが略面一となるように、挟持部材および吊持杆が形成されているものである。
【０００９】
【発明の実施の形態】
本発明の実施の形態を図面に基づいて説明する。尚、以下に述べる実施形態は本発明を具体化した一例に過ぎず、本発明の技術的範囲を限定するものでない。ここに、図１は本発明の一実施形態に係るハンガーの正面図、図２は図１のＬ部を拡大したもので図３におけるＢ−Ｂ線矢視断面図、図３は図２のＡ−Ａ線矢視断面図である。
各図において、この実施形態に係るハンガー１は例えば合成樹脂で大部分が形成されており、縦穴４を持つ本体基部２に吊下げフック３が係止ピン５を通されて回動自由に枢支されている。本体基部２の左右には、衣料やタオルなどの繊維製品を吊り持つ吊持杆６がそれぞれ横方向斜め下向きに張り出して形成されている。各吊持杆６の中間部分はそれぞれ下向きに凹陥した湾曲部６Ｄとなっており、それぞれの先端６Ｅは自由端となっている。各湾曲部６Ｄ上には、ピン穴１５（図３）を有する一対のヒンジ板部９，９がそれぞれ上向きに突設されている。また、各湾曲部６Ｄの先端６Ｅ寄り端部は吊持杆６の上面６Ｉよりも一段低い受座１２となっている。左右の受座１２，１２間の距離は特に限定されるものでないが、例えば、繊維製品の襟ぐりの左右寸法や肩紐間寸法に合わせて設定するとよい。
【００１０】
上記した構成の湾曲部６Ｄに、繊維製品を挟持するためのピンチ構造２０がそれぞれ設けられる。これらのピンチ構造２０は、前記したヒンジ板部９，９と、汎用洗濯バサミの一部品の形状に類似した挟持部材７と、挟持部材７と吊持杆６との間に設けられた鋼線製のコイルバネ（弾性部材）１１と、ヒンジ板部９，９のピン穴１５，１５に通されて挟持部材７を揺動可能に枢支する枢支ピン１０とから構成されている。
挟持部材７の長手方向中央部には、ピン穴１４，１４（図３）を有する一対のヒンジ板部８，８が下向きに突設されている。これらのヒンジ板部８，８は湾曲部６Ｄのヒンジ板部９，９と重ね合わせられ、それぞれのピン穴１４，１４，１５，１５に枢支ピン１０が通される。これにより、挟持部材７が吊持杆６の杆心方向に沿って揺動可能に吊持杆６に枢支される。すなわち、枢支ピン１０はその軸心を前後方向水平に向けて配置されており、挟持部材７は吊持杆６の上面６Ｉに対し近接離間するように揺動する。
【００１１】
この場合、コイルバネ１１は一対のヒンジ板部９，９間に内装されコイル部に枢支ピン１０が通されて保持される。コイルバネ１１はその一端が挟持部材７の下面のフック３寄りに係止され、他端が湾曲部６Ｄの上面のフック３寄りに係止される。このように配備されたコイルバネ１１の付勢力により、挟持部材７の吊下げフック３寄り端部は吊持杆６の湾曲部６Ｄから離れる方向（矢印Ｒ方向）に常時付勢される摘み操作部７Ｇとなる。また、挟持部材７の吊持杆先端６Ｅ寄り端部は吊持杆６の受座１２へ近接する方向（矢印Ｓ方向）に常時付勢される繊維製品挟持部７Ｆとなっている。
【００１２】
更に、このピンチ構造２０では、挟持部材７の繊維製品挟持部７Ｆが吊持杆６の受座１２に密接している状態（すなわち、挟持部材７を使用していない状態）で、挟持部材７の上面７Ｉと吊持杆６の上面６Ｉとがほぼ面一となるように、挟持部材７、吊持杆６、および湾曲部６Ｄの形状並びに配置がそれぞれ設定されている。
但し、この例において、吊持杆６の先端６Ｅは自由端となっているが、両側の先端６Ｅ，６Ｅ間を横架杆１３（図１中の一点鎖線）で一体に連結した形態のハンガーも本発明に含まれることは言うまでもない。
【００１３】
上記のように構成されたハンガー１は、図４に示すように、襟ぐり１７の大きなＴシャツ（繊維製品）１６を、例えば洗濯して干す場合に用いられる。まず、洗濯したＴシャツ１６の襟ぐり１７からハンガー１の吊持杆６，６を入れ、適当な位置でＴシャツ１６を吊り持ちさせる。次に、挟持部材７の摘み操作部７Ｇを指で押し下げて繊維製品挟持部７Ｆ（図２中の２点鎖線で示す７Ｆ）と受座１２との間に隙間を開け、これらの隙間に襟ぐり１７の左右の縁部を入れたのち、摘み操作部７Ｇの力を弛める。これにより、襟ぐり１７の左右の縁部が各繊維製品挟持部７Ｆと各受座１２とでそれぞれ挟持される。
【００１４】
このように襟ぐり１７の縁部がしっかりと挟持部材７で挟持されるので、ハンガー１に吊り持ちされたＴシャツ１６は風などにより位置ずれせず、吊持杆６から外れて脱落したりしない。また、クローゼットなどに出し入れする際に他の衣料などに触れても、Ｔシャツ１６がハンガー１から脱落するといったことがない。
一方、挟持部材７を用いることなく、Ｙシャツなどに代表される襟ぐりの浅い衣料を吊り持ちする場合は、挟持部材７の上面７Ｉと吊持杆６の上面６Ｉとが面一になっているので、吊り持ちされた衣料の肩部に挟持部材７の跡が残らない。
【００１５】
尚、上記の実施形態では、吊持杆６の途中にピンチ構造２０を配備した例を示したが、本発明のハンガーはそれに限定されるものでない。例えば、図５に示したハンガー１ａのように、吊持杆６の先端６Ｅにピンチ構造２０を配備したものも含まれる。この場合、各吊持杆６Ｅに内向きの湾曲部６Ｄが設けられ、各湾曲部６Ｄにピンチ構造２０がそれぞれ配備されている。各吊持杆６は全体として上面６Ｉが真っ直ぐに形成されている。他方で、吊持杆６の側面（図５では正面）６Ｈにピンチ構造２０（２点鎖線で示す）を配備してもよい。この場合、枢支ピン１０はその軸心が垂直方向から少し傾いて配置されており、挟持部材７は吊持杆６の側面６Ｈに対して近接離間するように揺動する。
これらの実施形態も、襟ぐりの広い衣料や肩紐のある衣料などを挟持部材７で吊り持ちできることは言うまでもない。加えて、吊持杆６が全体的に直線状に形成されているので、吊り持ちした衣料に吊り跡が目立たない。
【００１６】
そして、上記では、挟持部材７を使用していない状態で挟持部材７の上面７Ｉと吊持杆６の上面６Ｉとがほぼ面一となるように構成したが、本発明のハンガーはそれに限定されるものでない。例えば、図６に示すハンガー１ｂのように、直線状の吊持杆６の上面６Ｉ上にヒンジ板部９を突設し、このヒンジ板部９に挟持部材７を枢支させてピンチ構造２０を構成してもよい。このハンガー１ｂでは、挟持部材７が常に吊持杆６の上面６Ｉから突出している。従って、繊維製品挟持部７Ｆで衣料などを挟持できるのは無論のこと、吊持杆６のピンチ構造２０よりも上側位置６Ｊに衣料の肩紐などを掛けて、簡便に吊り持ちさせることも可能である。
【００１７】
更に、本発明は、図７に示すようなハンガー１ｃ、いわゆるパラソルハンガーにも適用可能である。このハンガー１ｃでは、連結杆２１の上端に吊下げフック３ａが形成されている。吊下げフック３ａには枢支ピン２３回りに揺動して物干竿などを挟持する挟持アーム２２が設けられている。連結杆２１の下端には平面に見て円盤状の本体基部２ａが設けられている。この本体基部２ａには、平面に見て放射状（図示省略）に配置された多数の吊持杆２４，２４，２４，・・・の末端が取り付けられている。各吊持杆２４は本体基部２ａに対し垂直位置と水平位置との間を矢印Ｔのように揺動可能に軸支されている。各吊持杆２４は末端部の近傍位置に下向きに湾曲した湾曲部２４Ｄがそれぞれ形成されている。これらの湾曲部２４Ｄにピンチ構造２０がそれぞれ設けられている。
【００１８】
このハンガー１ｃによれば、挟持部材７で挟んだ洗濯物を取り込む際に、洗濯物を吊持杆２４の先端方向に引くだけで洗濯物が挟持部材７から簡単に外れ、外れたあとも他部材に引っ掛かったりしない。従って、洗濯物の取り込みが非常に楽である。
因みに、従来のパラソルハンガー（図示省略）では、吊持杆２４の先端に挟持部材がその繊維製品挟持部を本体基部２ａ側に向けて配置されている。そのため、挟持部材で挟んだ洗濯物を取り込む際に洗濯物をいったん本体基部２ａ向きに引いて外したのち先端方向に逆行させて取り出さなければならず、外した洗濯物が先端の挟持部材に引っ掛かることが多々あった。
【００１９】
尚、挟持部材付きである本発明のハンガーを用いるに適した繊維製品としては、上記したＴシャツやキャミソール以外に、例えば、襟ぐりの広いブラウスやランニングシャツ、履き口の広いズボンやジーンズやバッチ、肩紐を有するブラジャー、大判のバスタオルなどが挙げられる。
また、挟持部材と吊持杆との間に設けられる本発明の弾性部材としては、既述したコイルバネに限定されず、板バネやゴム体などを採用することも可能である。
また、本発明の吊下げフックとしては、図１、図５、図６に示した略Ｓ字状の吊下げフック３のみならず、図７のような吊下げフック３ａおよび挟持アーム２２を組み合わせた挟み付け式のものも含まれる。
【００２０】
【発明の効果】
以上詳述したように、本発明に係るハンガーによれば、挟持部材の繊維製品挟持部で繊維製品を挟持するので、吊り持ちされた繊維製品が風などにより位置ずれしたり吊持杆から外れて脱落するといったことを防止できる。また、クローゼットなどに出し入れする際に、吊り持ちした繊維製品が他の衣料などに触れてもハンガーから脱落しない。
【００２１】
また、挟持部材の繊維製品挟持部が吊持杆に密着している状態で挟持部材の上面と吊持杆の上面とが略面一となるように構成されている場合は、Ｙシャツなどに代表される襟ぐりの浅い衣料の肩部に挟持部材の跡が付きにくい。
【図面の簡単な説明】
【図１】本発明の一実施形態に係るハンガーの正面図である。
【図２】図１のＬ部を拡大したもので図３におけるＢ−Ｂ線矢視断面図である。
【図３】図２のＡ−Ａ線矢視断面図である。
【図４】前記ハンガーを用いてＴシャツを保持する状態を示す説明図である。
【図５】本発明の別の実施形態に係るハンガーの正面図である。
【図６】本発明の他の実施形態に係るハンガーの正面図である。
【図７】本発明の更に他の実施形態に係るハンガーの正面図である。
【図８】従来のハンガーを示す正面図である。
【符号の説明】
１，１ａ，１ｂ，１ｃ  ハンガー
３，３ａ  吊下げフック
６，２４  吊持杆
６Ｄ，２４Ｄ  湾曲部
６Ｅ  先端
６Ｉ  上面
７    挟持部材
７Ｆ  繊維製品挟持部
７Ｇ  摘み操作部
７Ｉ  上面
１０  枢支ピン
１１  コイルバネ（弾性部材）
１２  受座
１６  Ｔシャツ（繊維製品）
Ｒ  矢印
Ｓ  矢印
【図１】
2005006721.tif 000003
【図２】
2005006721.tif 000004
【図３】
2005006721.tif 000005
【図４】
2005006721.tif 000006
【図５】
2005006721.tif 000007
【図６】
2005006721.tif 000008
【図７】
2005006721.tif 000009
【図８】
2005006721.tif 000010